(57)【要約】【課題】ブレ補正装置を備え、収納時のサイズがコンパクトなレンズ鏡筒を提供する。【解決手段】レンズ鏡筒１を、ブレ補正光学系Ｌ２を保持するブレ補正光学系保持部３０１と、これを光軸Ｉと略直交方向に移動可能に支持する支持部３０２と、ブレ補正光学系保持部３０１を駆動する駆動部３１０と、ブレ補正光学系保持部３０１の位置を検出する位置検出部３２０と、像光が通過する開口２０１を有し、前記ブレ補正光学系保持部３０１と離間した状態で開口２０１の一部又は全部を遮光部材２０２によって閉塞可能な使用位置と、開口２０１内にブレ補正光学系Ｌ２が挿入される収納位置との間を移動する光量調整部２００と、光量調整部２００をガイドし、駆動部３１０、位置検出部３２０と光軸Ｉに対する径方向の距離が重なりかつ光軸Ｉ回りに離間して配置されるガイド部２０３，２０４とを備える構成とする。【選択図】図２
2006337957.tif 000002
【特許請求の範囲】
【請求項１】
ブレ補正光学系を保持するブレ補正光学系保持部と、
前記ブレ補正光学系保持部を光軸と略直交する方向に移動可能に支持する支持部と、
前記ブレ補正光学系保持部を前記光軸と略直交する方向に駆動する駆動部と、
前記ブレ補正光学系保持部の位置を検出する位置検出部と、
前記光軸方向において前記ブレ補正光学系保持部に対して前記支持部と反対側に配置され、像光が通過する開口を有し、前記ブレ補正光学系保持部と前記光軸方向に離間した状態で前記開口の一部又は全部を遮光部材によって閉塞可能な使用位置と、前記光軸方向において前記使用位置よりも前記支持部側に移動し、前記開口内に前記ブレ補正光学系保持部の一部が挿入される収納位置との間を移動する光量調整部と、
前記支持部に対して前記光量調整部を前記光軸方向にガイドし、その少なくとも一部が、前記駆動部、前記位置検出部の少なくとも一方と前記光軸に対する径方向の距離が重なりかつ前記光軸回りに離間して配置されるガイド部と
を備えるレンズ鏡筒。
【請求項２】
ブレ補正光学系を保持するブレ補正光学系保持部と、
前記ブレ補正光学系保持部を光軸と略直交する方向に移動可能に支持する支持部と、
前記光軸方向において前記ブレ補正光学系保持部に対して前記支持部と反対側に配置され、像光が通過する開口を有し、前記ブレ補正光学系保持部と前記光軸方向に離間した状態で前記開口の一部又は全部を遮光部材によって閉塞可能な使用位置と、前記光軸方向において前記使用位置よりも前記支持部側に移動し、前記開口内に前記ブレ補正光学系保持部の一部が挿入される収納位置との間を移動する光量調整部と、
前記光量調整部と前記ブレ補正光学系保持部との間に設けられ、前記光軸方向において前記光量調整部を前記支持部から離れる方向に押圧するとともに、前記ブレ補正光学系保持部を前記支持部側に押圧する加圧部と
を備えるレンズ鏡筒。
【請求項３】
請求項２に記載のレンズ鏡筒において、
前記支持部に対して前記光量調整部を前記光軸方向にガイドするガイド部を備え、
前記加圧部は、その内径側に前記ガイド部の少なくとも一部が配置されたコイルバネを有すること
を特徴とするレンズ鏡筒。
【請求項４】
請求項２に記載のレンズ鏡筒において、
前記加圧部は、その内径側に前記ブレ補正光学系の少なくとも一部が配置されたコイルバネを有すること
を特徴とするレンズ鏡筒。
【請求項５】
請求項３又は請求項４に記載のレンズ鏡筒において、
前記加圧部の前記コイルバネは、円すいコイルバネであること
を特徴とするレンズ鏡筒。
【請求項６】
請求項５に記載のレンズ鏡筒において、
前記円すいコイルバネは、その最大コイル半径と最小コイル半径との差を、前記ブレ補正光学系保持部の前記光軸からの最大移動量よりも大きく設定したこと
を特徴とするレンズ鏡筒。
【発明の詳細な説明】
【技術分野】
【０００１】
本発明は、カメラの撮影用レンズ群等を収容するレンズ鏡筒に関するものである。
【背景技術】
【０００２】
カメラの撮影用レンズ鏡筒は、その不使用時に光軸方向の寸法を短縮してカメラボディ内に収納するようにしたいわゆる沈胴式のものが知られている。
このような沈胴式のレンズ鏡筒は、収納時の全長をより短縮するため、沈胴時にはレンズシャッタを全開とし、この開口内に他のレンズ群を挿入するようにしたものが知られている（例えば、特許文献１）。
【０００３】
一方、レンズ鏡筒は、光学式のブレ補正装置を備えたものが知られている。ブレ補正装置は、光軸と直交する面内を平行移動可能に支持されたブレ補正光学系を、レンズ鏡筒の振動に応じて駆動することによって、結像面における像ブレを低減し、画質を向上するものである。
このようなブレ補正装置を備えたレンズ鏡筒においても、収納時におけるサイズをよりコンパクトにすることが求められている。
【特許文献１】特開２００４−３４７６１５号公報
【発明の開示】
【発明が解決しようとする課題】
【０００４】
本発明の課題は、ブレ補正装置を備え、収納時のサイズがコンパクトなレンズ鏡筒を提供することである。
【課題を解決するための手段】
【０００５】
本発明は、以下のような解決手段により、前記課題を解決する。
請求項１の発明は、ブレ補正光学系を保持するブレ補正光学系保持部と、前記ブレ補正光学系保持部を光軸と略直交する方向に移動可能に支持する支持部と、前記ブレ補正光学系保持部を前記光軸と略直交する方向に駆動する駆動部と、前記ブレ補正光学系保持部の位置を検出する位置検出部と、前記光軸方向において前記ブレ補正光学系保持部に対して前記支持部と反対側に配置され、像光が通過する開口を有し、前記ブレ補正光学系保持部と前記光軸方向に離間した状態で前記開口の一部又は全部を遮光部材によって閉塞可能な使用位置と、前記光軸方向において前記使用位置よりも前記支持部側に移動し、前記開口内に前記ブレ補正光学系保持部の一部が挿入される収納位置との間を移動する光量調整部と、前記支持部に対して前記光量調整部を前記光軸方向にガイドし、その少なくとも一部が、前記駆動部、前記位置検出部の少なくとも一方と前記光軸に対する径方向の距離が重なりかつ前記光軸回りに離間して配置されるガイド部とを備えるレンズ鏡筒である。
【０００６】
請求項２の発明は、ブレ補正光学系を保持するブレ補正光学系保持部と、前記ブレ補正光学系保持部を光軸と略直交する方向に移動可能に支持する支持部と、前記光軸方向において前記ブレ補正光学系保持部に対して前記支持部と反対側に配置され、像光が通過する開口を有し、前記ブレ補正光学系保持部と前記光軸方向に離間した状態で前記開口の一部又は全部を遮光部材によって閉塞可能な使用位置と、前記光軸方向において前記使用位置よりも前記支持部側に移動し、前記開口内に前記ブレ補正光学系保持部の一部が挿入される収納位置との間を移動する光量調整部と、前記光量調整部と前記ブレ補正光学系保持部との間に設けられ、前記光軸方向において前記光量調整部を前記支持部から離れる方向に押圧するとともに、前記ブレ補正光学系保持部を前記支持部側に押圧する加圧部とを備えるレンズ鏡筒である。
【０００７】
請求項３の発明は、請求項２に記載のレンズ鏡筒において、前記支持部に対して前記光量調整部を前記光軸方向にガイドするガイド部を備え、前記加圧部は、その内径側に前記ガイド部の少なくとも一部が配置されたコイルバネを有することを特徴とするレンズ鏡筒である。
請求項４の発明は、請求項２に記載のレンズ鏡筒において、前記加圧部は、その内径側に前記ブレ補正光学系の少なくとも一部が配置されたコイルバネを有することを特徴とするレンズ鏡筒である。
請求項５の発明は、請求項３又は請求項４に記載のレンズ鏡筒において、前記加圧部の前記コイルバネは、円すいコイルバネであることを特徴とするレンズ鏡筒である。
請求項６の発明は、請求項５に記載のレンズ鏡筒において、前記円すいコイルバネは、その最大コイル半径と最小コイル半径との差を、前記ブレ補正光学系保持部の前記光軸からの最大移動量よりも大きく設定したことを特徴とするレンズ鏡筒である。
【発明の効果】
【０００８】
本発明によれば、光量調整部をガイドするガイド部を、ブレ補正光学系保持部を駆動する駆動部、その位置を検出する位置検出部に対して光軸に対する径方向の距離が重なりかつ光軸回りに離間するように配置したから、レンズ鏡筒の径方向のサイズを拡大することなく光量調整部を光軸方向に移動させて収納時の全長を短くすることができる。
また、光量調整部とブレ補正光学系との間に設けられ、光軸方向において光量調整部を支持部から離れる方向に押圧するとともに、ブレ補正光学系保持部を支持部側に押圧する加圧部を備えているから、これらにそれぞれ独立した加圧手段を設ける必要がなく、レンズ鏡筒をよりいっそうコンパクト化することができる。
【発明を実施するための最良の形態】
【０００９】
本発明は、ブレ補正装置を備え、収納時のサイズがコンパクトなレンズ鏡筒を提供するという目的を、シャッタ絞りユニットを光軸方向にガイドするガイドバーを、ブレ補正（ＶＲ）ユニットの周方向におけるボイスコイルモータと位置検出器の間に配置すること、及び、シャッタ絞りユニットをＶＲユニットから離間する方向に押圧するとともに、ＶＲレンズ室をＶＲレンズホルダに押圧するバネを設けることによって解決した。
【実施例１】
【００１０】
以下、本発明を適用したレンズ鏡筒の実施例１について説明する。
このレンズ鏡筒１は、例えばレンズ非交換式のデジタルスチルカメラの撮影用レンズ鏡筒として用いられる沈胴式のレンズ鏡筒である。
図１は、レンズ鏡筒１の使用時における状態を示す断面図である。図２は、レンズ鏡筒１の収納時（沈胴時）における状態を示す断面図である。また、図１、図２は、図３に示すＡ−Ａ断面を示すものである。
図３は、図１のIII−III部矢視断面図である。
図４、図５は、レンズ鏡筒１の図３に示すＢ−Ｂ断面における断面図であって、それぞれ使用時、収納時の状態を示すものである。
【００１１】
レンズ鏡筒１は、撮像光学系として、第１レンズ群Ｌ１、第２レンズ群（ＶＲレンズ群）Ｌ２、第３レンズ群Ｌ３、ローパスフィルタ（ＬＰＦ）１０、撮像素子２０を備えている。
また、レンズ鏡筒１は、第１群筒１１０、回転カム筒１２０、固定筒１３０、第３レンズ室１４０、撮像素子固定部材１５０、シャッタ絞りユニット２００、ブレ補正（ＶＲ）ユニット３００を備えている。
【００１２】
第１レンズ群Ｌ１は、対物レンズ群であって、後述する第１レンズ室１１１を介して第１群筒１１０の対物側の先端部に固定されている。
ＶＲレンズ群Ｌ２は、第１レンズ群Ｌ１の射出側に配置され、ＶＲユニット３００によって光軸Ｉと直交する方向に変位（シフト）することによって結像面における像ブレを低減するものである。
第３レンズ群Ｌ３は、ＶＲレンズ群Ｌ２の射出側に設けられ、第３レンズ室１４０によって光軸Ｉ方向に移動可能に支持されている。
【００１３】
ＬＰＦ１０は、第３レンズ群Ｌ３の射出側に設けられ、撮像素子２０の出力画像における偽色の発生等を防止する光学式のローパスフィルタである。
撮像素子２０は、ＬＰＦ１０の像側に配置され、例えばＣＣＤ、ＣＭＯＳ等の光−電気変換素子を備え、その撮像面に結像される被写体像を取得するものである。この撮像素子２０は、その背面側に固定されたパッケージ２１を介して撮像素子固定部材１５０に固定されている。
【００１４】
第１群筒１１０は、レンズ鏡筒１の鏡胴を構成する部材のうち使用時（撮影時）に最も対物側に繰り出される筒体であって、第１レンズ室１１１と、レンズバリア１１２とを備えている。第１群筒１１０は、外周面部に回転カム筒１２０の内周面のカム溝に挿入される突起状のカムフォロワピンを備え、後述する直進ガイド部材１２１によって光軸方向に平行移動可能に支持されている。
第１レンズ室１１１は、その内径側に第１レンズ群Ｌ１が固定される枠体であって、第１群筒１１０の対物側の先端部に固定されている。
レンズバリア１１２は、第１群筒１１０の対物側の端面部に備えられ、レンズ鏡筒１の収納時（沈胴時）に第１レンズ群Ｌ１の対物側の面をカバーする遮蔽部材を備えている。
【００１５】
回転カム筒１２０は、固定筒１３０の内径側に挿入されるとともに、その内径側に第１群筒１１０が挿入される筒体であって、直進ガイド部材１２１、ギア１２２、ギア軸１２３を備えている。
回転カム筒１２０は、外周面部に固定筒１３０の内周面部のカム溝に挿入される突起状のカムフォロワピンを備えている。また、回転カム筒１２０は、第１群筒１１０及びＶＲユニット３００のカムフォロワピンが挿入されるカム溝がその内周面部に形成されている。
回転カム筒１２０は、固定筒１３０に対して光軸回りに回転可能でありかつ光軸方向に移動可能に支持され、その外周面部に形成されたギア列をギア１２２によって駆動されることによって、光軸方向に移動するとともに、第１群筒１１０及びＶＲユニット３００を回転カム筒１２０に対して光軸方向に移動させるものである。
直進ガイド部材１２１は、回転カム筒１２０及び第１群筒１１０の内径側に配置され、第１群筒１１０及び後述するＶＲレンズ室を、固定筒１３０に対して光軸回りに回転しないように直進案内するものである。
ギア１２２は、回転カム筒１２０の外周面部に形成されたギア列と噛合し、図示しないモータの動力を用いて回転カム筒１２０を回転駆動するものである。
ギア軸１２３は、ギア１２２を固定筒１３０に対して回転可能に支持するものである。
【００１６】
固定筒１３０は、図示しないカメラボディに固定された筒体であって、その対物側の端部は、カメラボディのカバーＣに形成され回転カム筒１２０等が挿入される開口と隣接して配置されている。固定筒１３０は、その内周面部に、回転カム筒１２０のカムフォロワピンが挿入されるカム溝が形成されている。
【００１７】
第３レンズ室１４０は、第３レンズ群Ｌ３を収容する枠体を有し、固定筒１３０に対して光軸Ｉ方向に移動可能に支持されている。
第３レンズ室１４０は、ナット部１４１、スクリュ１４２、モータ１４３、ガイドバー１４４を備えている。
ナット部１４１は、第３レンズ室１４０に固定され、スクリュ１４２とネジ結合されるめネジ部が形成されている。
スクリュ１４２は、光軸Ｉと平行に延在し、ナット部１４１のめネジ部に挿入され、これが回転することによって第３レンズ室１４０を光軸方向に送るものである。
モータ１４３は、スクリュ１４２に接続され、このスクリュ１４２を回転駆動するものである。
ガイドバー１４４は、第３レンズ室１４０を光軸Ｉ方向にガイドするものである。
【００１８】
撮像素子固定部材１５０は、固定レンズ筒１３０の光軸Ｉ方向像側の端部に備えられ、ＬＰＦ１０、撮像素子２０、パッケージ２１が固定されるものである。
【００１９】
シャッタ絞りユニット２００は、第１レンズ群Ｌ１と第２レンズ群Ｌ２との間に配置され、像光が通過する開口２０１と、この開口２０１を閉塞する遮光部材であるシャッタ絞り部材２０２とを備えている。
シャッタ絞り部材２０２は、複数枚の金属薄片を組み合わせて可変式の虹彩絞り状に形成され、開口２０１内への突出量を変更することによって通過する像光の光量を調整し、または像光を遮断可能となっている。
シャッタ絞り部材２０２は、図２に示すように、レンズ鏡筒１の収容時には、ＶＲレンズ室３０１との干渉を防止するため、開口２０１の内周縁部よりも外径側に退避するようになっている。
【００２０】
また、シャッタ絞りユニット２００は、ガイドバー２０３，２０４、バネ２０５，２０６を備えている（ガイドバー２０４は図３参照。バネ２０６は図示しない。）。
ガイドバー２０３，２０４は、それぞれ光軸Ｉと平行に延在し、シャッタ絞りユニット２００を光軸Ｉ方向に平行移動可能に支持するものである。
ガイドバー２０３，２０４は、その光軸Ｉ方向像側の端部を後述するＶＲユニット３００のＶＲレンズホルダ３０２に固定され、光軸Ｉ方向対物側の端部は、その外径側につば状に突き出して形成され、シャッタ絞りユニット２００の移動範囲を規制するストッパリングが形成されている。
【００２１】
図３に示すように、ガイドバー２０３，２０４は、光軸Ｉに対して略対称に配置されている。ガイドバー２０３，２０４は、それぞれシャッタ絞りユニット２００に形成されたガイド孔に挿入されるが、ガイドバー２０３が挿入されるガイド孔は、ガイドバー２０３の外径に対して不可避的に設けられる微小な隙間だけ径の大きい円形に形成されるのに対し、ガイドバー２０４が挿入されるガイド孔は、光軸Ｉに対して径方向に長い長円状に形成されている。
【００２２】
また、バネ２０５，２０６は、その中心軸を光軸Ｉと略平行に配置された圧縮コイルバネであって、それぞれその内径側にガイドバー２０３，２０４が挿入され、これらに対して略同心に配置されている。バネ２０５，２０６は、光軸Ｉ方向対物側の端部をシャッタ絞りユニット２００に接し、かつ、像側の端部をＶＲレンズホルダ３０２に接した状態で配置され、これらを相互に離間する方向に付勢するものである。
【００２３】
ブレ補正ユニット３００は、ＶＲレンズ群Ｌ２を光軸Ｉと直交する方向に変位させることによって、レンズ鏡筒１の振動に起因する被写体像の像ブレを低減するものである。
ブレ補正ユニット３００は、ＶＲレンズ室３０１、ＶＲレンズホルダ３０２、カバー３０３、鋼球３０４、バネ３０５、ボイスコイルモータ３１０、位置検出器３２０を備えている（ボイスコイルモータ３１０、位置検出器３２０は、図３、図４、図５参照。）。
【００２４】
ＶＲレンズ室３０１は、内径側にＶＲレンズ群Ｌ２が収容される枠体を有し、この枠体の外周面部から外径側につば状に突き出して形成されたフランジ部が形成されている。
ＶＲレンズホルダ３０２は、ＶＲレンズ室３０１に形成されたフランジ部の光軸Ｉ方向像側の面部と対向して配置され、ＶＲレンズ室３０１を光軸Ｉに対して直交する平面に沿って平行移動可能に支持するものである。
【００２５】
カバー３０３は、ＶＲレンズ室３０１に形成されたフランジ部の光軸Ｉ方向対物側の面部と対向して配置され、ＶＲレンズホルダ３０２に対して固定されている。
鋼球３０４は、ＶＲレンズ室３０１のフランジ部とＶＲレンズホルダ３０２との間に挟持され、その回転によってＶＲレンズ室３０１のＶＲレンズホルダ３０２に対する光軸Ｉと直交する方向への移動をガイドするものである。また、ＶＲレンズホルダ３０２は、ＶＲレンズ室３０１側の面部をカップ状に凹ませて形成され、この鋼球３０４が接触し転動する底面部が形成された凹部３０２ａが形成されている。この凹部３０２ａは、図３に示すように、ＶＲレンズホルダ３０２の周方向に略等間隔に分散して例えば３つが形成され、そのそれぞれが鋼球３０４を備えている。
バネ３０５は、ＶＲレンズ室３０１とＶＲレンズホルダ３０２との間にわたして設けられたコイルバネであって、ＶＲレンズ室３０１をＶＲレンズホルダ３０２に対して引き寄せ、鋼球３０４を介して加圧接触させるものである。
【００２６】
ボイスコイルモータ３１０は、ＶＲレンズ室３０１をＶＲレンズホルダ３０２に対して光軸Ｉと直交する方向に駆動するアクチュエータである。
実施例１において、ＶＲユニット３００はＶＲレンズ群Ｌ２をレンズ鏡筒１のピッチング、ヨーイングにそれぞれ対応した方向に駆動するものである。ここで、ピッチングとは、通常撮影時においてレンズ鏡筒１の対物側の端部が上下方向に揺れる振動を指し、この場合ＶＲレンズ群Ｌ２は、上下方向に駆動される（対ピッチング駆動）。また、ヨーイングとは、通常撮影時においてレンズ鏡筒１の対物側の端部が水平方向に揺れる振動をさし、この場合ＶＲレンズ群Ｌ２は、水平方向に駆動される（対ヨーイング駆動）。
【００２７】
ボイスコイルモータ３１０は、図３に示すように、ＶＲレンズ室３０１の対ピッチング駆動を行うもの（３１０Ｐ）、対ヨーイング駆動を行うもの（３１０Ｙ）がそれぞれ設けられている。
ボイスコイルモータ３１０Ｐ、３１０Ｙは、通常撮影時における光軸Ｉの下側の領域、水平方向に沿った領域にそれぞれ配置され、これらは光軸Ｉ回りにおける角度が例えば約９０度離間して配置されている。
【００２８】
ボイスコイルモータ３１０は、図４、図５に示すように、ヨーク３１１，３１２、マグネット３１３、コイル３１４を備えている。
ヨーク３１１、３１２は、例えば鉄系金属等によって形成された強磁性体であって、それぞれＶＲレンズホルダ３０２、カバー３０３に固定され、光軸Ｉ方向に相互に対向して配置されている。
マグネット３１３は、ヨーク３１２のヨーク３１１と対向する側の面部に固定された永久磁石である。
コイル３１４は、ＶＲレンズ室３０１のフランジ部に固定され、ヨーク３１１とマグネット３１３との間に挟まれて配置されている。
ボイスコイルモータ３１０は、ヨーク３１１，３１２、マグネット３１３が形成する磁界内に配置されたコイル３１４に通電することによって生ずる磁気誘導力によってＶＲレンズ室の駆動を行う。
【００２９】
位置検出器３２０は、ＶＲレンズ室３０１のＶＲレンズホルダ３０２に対する変位量を検出するものである。位置検出装置３２０は、図３に示すように、ボイスコイルモータ３１０と同様に、ＶＲレンズ群Ｌ２の対ピッチング駆動、対ヨーイング駆動に対応したものがそれぞれ設けられ、これらは図３において符号３２０Ｐ，３２０Ｙをそれぞれ付して図示している。これらの位置検出器３２０Ｐ，３２０Ｙは、それぞれ対応する方向への駆動用のボイスコイルモータ３１０Ｐ，３１０Ｙに対して、光軸Ｉを挟んだ反対側に配置されている。
【００３０】
位置検出器３２０は、図４、図５に示すように、マグネット３２１と、位置検出センサ３２２とを備えている。
マグネット３２１は、ＶＲレンズ室３０１のフランジ部に固定された永久磁石であって、その磁化方向（Ｎ極とＳ極とがなす方向）が検出対象と略平行に配置されている。
位置検出センサ３２２は、例えばホール素子を有する磁気センサを備え、マグネット３２１と対向した状態でＶＲレンズホルダ３０２に固定されている。
【００３１】
ここで、上述したガイドバー２０３，２０４のボイスコイルモータ３１０、位置検出器３２０に対する配置について着目すると、図３に示すように、ガイドバー２０３は、レンズ鏡筒１の周方向において、ボイスコイルモータ３１０Ｐと、位置検出器３２０Ｙとの間の領域に配置されている。ガイドバー２０４は、ボイスコイルモータ３１０Ｙと、位置検出器３２０Ｐとの間の領域に配置されている。
一方、光軸Ｉからの径方向の距離においては、ガイドバー２０３，２０４は、ボイスコイルモータ３１０、位置検出器３２０と重なった位置に配置されている。
また、バネ３０５は、ボイスコイルモータ３１０Ｐ，３１０Ｙの間と、位置検出器３２０Ｐ，３２０Ｙの間にそれぞれ配置されている。
【００３２】
図６は、ＶＲレンズ室３０１の後端部における外周面３０１ａと、これが挿入されるＶＲレンズホルダ３０２の開口３０２ｂの形状を示す図である。
ＶＲレンズ室３０１の後端部における外周面３０１ａは、円筒面状に形成されている。一方ＶＲレンズホルダ３０２の開口３０２ｂは、その光軸Ｉ方向から見た形状が略正八角形状に形成され、その中心は光軸Ｉと略一致するようになっている。
開口３０２ｂは、ＶＲレンズ室３０１がセンタリングされた状態（ＶＲレンズ群Ｌ２の光軸が他のレンズ群と共通の光軸Ｉ上に配置された状態）から、所定の最大ストローク量ａだけ移動することを許容するとともに、過度の移動を制限するように、その対向する面間の間隔がＶＲレンズ室３０１の外周面３０１ａの直径に２ａを加えた寸法よりもわずかに大きく形成されている。
【００３３】
以下、上述した実施例１のレンズ鏡筒１の動作について説明する。
先ず、レンズ鏡筒１が収納状態から使用状態に変化する際の動作について説明する。
回転カム筒１２０は、ギア１２２によって光軸Ｉ回りに回転駆動され、第１群筒１１０、ＶＲユニット３００は、各カム機構によってそれぞれ光軸Ｉ方向における所定の位置に繰り出される。このとき、レンズバリア１１２は、第１群筒１１０の繰り出しと連動して開かれる。
そして、シャッタ絞りユニット２００は、バネ２０５，２０６の加圧力によって、ＶＲレンズホルダ３０２に対して、ガイドバー２０３，２０４に沿って光軸Ｉ方向対物側に繰り出され、ガイドバー２０３，２０４の端部のストッパリングに接触するまで移動する。その後、シャッタ絞りユニット２００のシャッタ絞り部材２０２は、公知の露光制御に従って開口２０１内に突き出され、通過光量の制御を行う。
【００３４】
次に、レンズ鏡筒１が使用状態から収納状態に変化する際の動作について説明する。
シャッタ絞りユニット２００のシャッタ絞り部材２０２は、ＶＲレンズ室３０１が開口２０１内に挿入される際に干渉することを防止するため、開口２０１の内周面部よりも外径側に引き込まれる。
回転カム筒１２０は、ギア１２２によって光軸Ｉ回りに逆方向に回転駆動され、第１群筒１１０、ＶＲユニット３００は、各カム機構によってそれぞれ光軸Ｉ方向における所定の位置まで引き込まれる。これと連動して、レンズバリア１１２は閉じられる。
【００３５】
このとき、第１群筒１１０は、シャッタ絞りユニット２００の光軸Ｉ方向対物側の面に当接し、シャッタ絞りユニット２００を光軸Ｉ方向像側に向けて押圧する。
この押圧力によって、バネ２０５，２０６は押し縮められ、シャッタ絞りユニット２００は、ＶＲレンズホルダ３０２に対して接近する方向に移動する。そして、ＶＲレンズ室３０１の対物側の端部は、シャッタ絞りユニット２００の開口２０１内に収容された状態で収納される。
【００３６】
ここで、ＶＲレンズ室３０１は、シャッタ絞りユニット２００の開口２０１に挿入される時は、ボイスコイルモータ３１０によってセンタリングされた状態となっており、挿入が終了した後、ボイスコイルモータ３１０への通電が停止されると、ＶＲレンズ室３０１の拘束は解除され、ＶＲレンズ室３０１は自重によって移動し、その後端部の外周面３０１ａがＶＲレンズホルダ３０２の開口３０２ｂの内周縁に接した状態で保持される。
【００３７】
以上のように、実施例１によれば、シャッタ絞りユニット２００を光軸Ｉ方向にガイドするガイドバー２０３，２０４を、ＶＲレンズ室３０１を駆動するボイスコイルモータ３１０、その位置を検出する位置検出器３２０に対して光軸Ｉに対する径方向の距離が重なりかつ光軸Ｉ回りに離間するように配置したから、レンズ鏡筒１の径方向のサイズを拡大することなくシャッタ絞りユニット２００を光軸Ｉ方向に移動させ、収納時の全長を短くすることができる。
【実施例２】
【００３８】
次に、本発明を適用したレンズ鏡筒の実施例２について説明する。なお、以下説明する各実施例においては、上述した実施例１と同様の部分については同じ符号を付して説明を省略し、主に相違点について説明する。
図７は、実施例２のレンズ鏡筒の使用状態を示す断面図である。図８は、このレンズ鏡筒の収納状態を示す断面図である。図９は、図７のIX−IX部矢視断面図である。ここで、図７、図８は、図９におけるｃ−ｃ部断面を示すものである。
【００３９】
実施例２のレンズ鏡筒２は、上述した実施例１のレンズ鏡筒１におけるバネ３０５を省くとともに、バネ２０５，２０６に代えて、シャッタ絞りユニット２００及びＶＲレンズ室３０１のフランジ部に両端部をそれぞれ接して配置され、これらを光軸Ｉ方向に遠ざける方向に付勢するバネ２０７，２０８を設けたものである。
バネ２０７，２０８は、それぞれその中心軸がガイドバー２０３，２０４と略同心に配置された圧縮コイルバネであって、ガイドバー２０３，２０４は、これらの内径側に挿入されている。
【００４０】
バネ２０７，２０８は、レンズ鏡筒２が使用状態にあるときは、シャッタ絞りユニット２００をガイドバー２０３，２０４のストッパリングに当接するまで光軸Ｉ方向対物側に押圧するとともに、その反力によってＶＲレンズ室３０１を鋼球３０４を介してＶＲレンズホルダ３０２側に押圧するものである。また、バネ２０７，２０８は、レンズ鏡筒２が収納状態にあるときは、シャッタ絞りユニット２００が第１群筒１１０に押圧されることによって押し縮められる。
【００４１】
実施例２によれば、実施例１と同様の効果に加えて、シャッタ絞りユニット２００とＶＲレンズ室３０１との間に設けられ、光軸Ｉ方向においてシャッタ絞りユニット２００をＶＲユニット３００から離れる方向に押圧するとともに、ＶＲレンズ室３０１をＶＲレンズホルダ３０２に押圧するバネ２０７，２０８を備えているから、これらにそれぞれ独立したバネ等の付勢手段を設ける必要がなく、レンズ鏡筒２をいっそうコンパクト化することができる。
また、バネ２０７，２０８は、それぞれガイドバー２０３，２０４と略同心に配置されているから、その付勢力に起因してシャッタ絞りユニット２００がガイドバー２０３，２０４に対して傾斜することがなく、ガイドバー２０３，２０４の摺動抵抗を軽減することができる。
【実施例３】
【００４２】
図１０は、本発明を適用したレンズ鏡筒の実施例３の使用状態を示す断面図である。図１１は、このレンズ鏡筒の収納状態を示す断面図である。
実施例３のレンズ鏡筒３は、実施例２のレンズ鏡筒２のバネ２０７，２０８に代えて、円すいコイルバネであるバネ２０９，２１０を備えたものである。
【００４３】
バネ２０９，２１０は、ＶＲレンズホルダ３０２側の端部（座巻部）のバネ径が、シャッタ絞りユニット２００側の端部（座巻部）のバネ径よりも小さく形成され、その中間の領域ではバネ径がリニアに変化するようになっている。
図１２は、バネ２０９の拡大図である。バネ２０９は、その両端部における内径の差ｂ、外径の差ｃが、いずれもＶＲレンズ室３０１がセンタリングされた状態からの最大移動量ａ以上となるように形成されている。
【００４４】
図１３は、図１０のXIII部拡大図である。ここで、図１３（ａ）は、ＶＲレンズ群Ｌ２がセンタリングされた状態を示し、図１３（ｂ）は、ＶＲレンズ群Ｌ２が、通常撮影時における最も下方側に移動した状態を示す図である。
シャッタ絞りユニット２００は、バネ２０９がずれることを防止するガイドとして、バネ２０９が接する部分を、その中心軸と略同心の円環状に配置された溝状に凹ませた凹部２００ａが形成されている。この凹部２００ａの内径は、バネ２０９の最大外径と略同じとされている。
【００４５】
一方、ＶＲレンズホルダ３０２は、バネ２０９がずれることを防止するガイドとして、バネ２０９が接する面部から突き出して円筒状に形成され、バネ２０９の内径側に挿入される突起部３０２ｃが形成されている。この突起部３０２ｃの外径は、バネ２０９の最小内径と略同じとされている。
また、シャッタ絞りユニット２００及びＶＲレンズホルダ３０２のバネ２１０と接する部分も、上述したものと同様の凹部、突起部が形成される。
【００４６】
図１４は、本発明の比較例であるレンズ鏡筒におけるバネ部の拡大断面図であって、図１３と同じ領域を示すものである。図１３と同様に、図１４（ａ）は、ＶＲレンズ群Ｌ２がセンタリングされた状態を示し、図１４（ｂ）は、ＶＲレンズ群Ｌ２が、通常撮影時における最も下方側に移動した状態を示す図である。
この比較例のレンズ鏡筒は、上述した実施例３のレンズ鏡筒３のバネ２０９，２１０に代えて、そのバネ径が全長にわたって略一定のバネ２０９ｓ，２１０ｓを備えたものである。
【００４７】
比較例のレンズ鏡筒においては、図１４（ｂ）に示すように、ＶＲレンズ群Ｌ２がセンタリングされた位置からシフトした場合に、バネ２０９ｓの中間部（有効バネ部）がシャッタ絞りユニット２００の凹部２００ａの開口縁や、ＶＲレンズホルダ３０２の突起部３０２ｃの先端部と干渉し、シフト方向と平行な反力が偏ってシフト動作のスムースさが損なわれてしまう。
【００４８】
これに対し、実施例３のレンズ鏡筒３においては、図１３（ｂ）に示すように、ＶＲレンズ群Ｌ２がシフトした場合であっても、バネ２０９の中間部分の外周面がシャッタ絞りユニット２００の凹部２００ａの開口縁や、ＶＲレンズホルダ３０２の突起部３０２ｃの先端部と干渉することがないから、シフト方向と平行な反力が偏ることがない。
【００４９】
以上のように、実施例３によれば、バネ２０９，２１０をガイドする凹部２００ａ及び突起部３０２ｃを設けているから、バネ２０９，２１０の光軸Ｉと直交する方向における位置決め精度が確保でき、また、バネ２０９，２１０を円すいコイルバネとしたから、上述したようにシフト方向の反力が偏らず、ＶＲレンズ群Ｌ２のシフト動作のスムースさを確保することができる。
【実施例４】
【００５０】
図１５は、本発明を適用したレンズ鏡筒の実施例４の使用状態を示す断面図である。図１６は、このレンズ鏡筒の収納状態を示す断面図である。
実施例４のレンズ鏡筒４は、シャッタ絞りユニット２００とＶＲレンズホルダ３０２との間に設けられるバネとして、その中心軸が光軸Ｉと略一致して配置され、内径側にＶＲレンズ室３０１が挿入されるバネ２１１を備えたものである。
【００５１】
バネ２１１は、ＶＲレンズ室３０１と接する側の端部のバネ径が、シャッタ絞りユニット２００と接する側の端部のバネ径よりも小さく形成された円すいコイルバネであって、両端部におけるバネ径の差は、ＶＲレンズ室３０１の最大移動量ａよりも大きく設定されている。
実施例４によれば、実施例３と同様の効果に加え、部品点数が低減され構造が簡単になる効果がある。
【００５２】
（変形例）
本発明は、以上説明した各実施例に限定されることなく、種々の変形や変更が可能であって、それらも本発明の均等の範囲内である。
（１）各実施例は、デジタルスチルカメラの撮影用レンズ鏡筒であったが、本発明はこれに限らずビデオカメラ（ムービーカメラ）やフィルムカメラにも適用することができる。
（２）各実施例は、光量調整部としてシャッタ機能と絞り機能とを備えたシャッタ絞りユニットを有するものであったが、これに限らず、光量調整部は、シャッタ、絞りのいずれか一方の機能を有するものであってもよい。例えば、シャッタとして公知の電子シャッタを用い、光量調整部は絞りのみを行うものであってもよい。
（３）ガイド部、加圧部等の構成や配置は上述した実施例のものに限定されず、適宜変更することができる。
【図面の簡単な説明】
【００５３】
【図１】本発明を適用したレンズ鏡筒の実施例１の使用時の状態を示す断面図である。
【図２】図１のレンズ鏡筒の収納時（沈胴時）の状態を示す断面図である。
【図３】図１のIII−III部矢視断面図である。
【図４】図１のレンズ鏡筒の使用時の状態を示す図３のＢ−Ｂ部断面図である。
【図５】図１のレンズ鏡筒の収納時の状態を示す図３のＢ−Ｂ部断面図である。
【図６】図１のレンズ鏡筒のＶＲレンズ室とＶＲレンズホルダとの間隔を示す図である。
【図７】本発明を適用したレンズ鏡筒の実施例２の使用時の状態を示す断面図である。
【図８】図７のレンズ鏡筒の収納時の状態を示す断面図である。
【図９】図７のIX−IX部矢視断面図である。
【図１０】本発明を適用したレンズ鏡筒の実施例３の使用時の状態を示す断面図である。
【図１１】図１０のレンズ鏡筒の収納時の状態を示す断面図である。
【図１２】図１０のレンズ鏡筒のバネの拡大図である。
【図１３】図１０のXIII部拡大図である。
【図１４】本発明の比較例のレンズ鏡筒におけるバネ部の拡大図である。
【図１５】本発明を適用したレンズ鏡筒の実施例４の使用時の状態を示す断面図である。
【図１６】図１５のレンズ鏡筒の収納時の状態を示す断面図である。
【符号の説明】
【００５４】
１  レンズ鏡筒
Ｌ２  ＶＲレンズ群（第２レンズ群）
２００  シャッタ絞りユニット
２０２  シャッタ絞り部材
２０３，２０４  ガイドバー
３０１  ＶＲレンズ室
３０２  ＶＲレンズホルダ
３１０  ボイスコイルモータ
３２０  位置検出器
【図１】
2006337957.tif 000003
【図２】
2006337957.tif 000004
【図３】
2006337957.tif 000005
【図４】
2006337957.tif 000006
【図５】
2006337957.tif 000007
【図６】
2006337957.tif 000008
【図７】
2006337957.tif 000009
【図８】
2006337957.tif 000010
【図９】
2006337957.tif 000011
【図１０】
2006337957.tif 000012
【図１１】
2006337957.tif 000013
【図１２】
2006337957.tif 000014
【図１３】
2006337957.tif 000015
【図１４】
2006337957.tif 000016
【図１５】
2006337957.tif 000017
【図１６】
2006337957.tif 000018